(57)【特許請求の範囲】
【請求項１】
筐体の内部に、部品となるカートリッジ体の収容室が形成され、該収容室はカートリッジ体を装填するための開口を有し、該筐体には、前記開口を開閉するための蓋体が枢支され、該蓋体は前記開口を閉じた位置に係止することが可能であり、前記収容室内のカートリッジ体は前記開口へ向けてバネ付勢されている携帯型電子機器において、
筐体には、収容室の開口に進出したロック位置と該開口から後退したロック解除位置との間で往復移動が可能であると共に、ロック解除位置からロック位置へ向けてバネ付勢されたロックレバーが配備される一方、蓋体の内面には、蓋体が完全に閉じられる直前にロックレバーをロック位置へ向けて押圧する押圧部が形成され、前記ロックレバーには、前記押圧部の押圧を受けてカートリッジ体を収容室の奥部へ向けて押し込むためのカム面が形成されていることを特徴とする携帯型電子機器。
【請求項２】
前記蓋体の押圧部は、第１の力で蓋体を閉じる操作ではロック解除位置のロックレバーによって受け止められ、前記第１の力よりも大きな第２の力で蓋体を閉じる操作により、ロック解除位置のロックレバーをロック位置へ向けて強制的に移動せしめる請求項１に記載の携帯型電子機器。
【請求項３】
蓋体の内面には、蓋体が閉じられた状態で、筐体の収容室の開口を包囲する開口端面に密着し、且つ収容室内のカートリッジ体に対しては圧力を及ぼすことのないシール面が形成されている請求項１又は請求項２に記載の携帯型電子機器。
【請求項４】
蓋体は、筐体に枢支された金属板と、該金属板の内面に固定されたシールカバーと、該金属板に対してスライド可能に係合するスライドカバーとから構成され、前記シールカバーの内面によって前記シール面が形成され、前記スライドカバーをスライドさせることによって該スライドカバーの端部が筐体と係合して、蓋体が閉じ位置に係止される請求項３に記載の携帯型電子機器。
【請求項５】
前記カートリッジ体は、バッテリ若しくはカード型ＩＣチップである請求項１乃至請求項４の何れかに記載の携帯型電子機器。
【発明の詳細な説明】
【技術分野】
【０００１】
本発明は、デジタルカメラ等の携帯型電子機器に関し、特にバッテリやカード型ＩＣチップ等のカートリッジ体が着脱可能に収容される携帯型電子機器に関するものである。
【背景技術】
【０００２】
デジタルカメラにおいては、図６(ａ)(ｂ)(ｃ)に示す如く、筐体(１)の内部に、バッテリ(８)を収容するためのバッテリ収容室(３)が形成されており、該バッテリ収容室(３)の底部には、バッテリ収容室(３)内のバッテリ(８)を排出方向に付勢するコイルバネ(５)が設置されている。
又、筐体(１)には、バッテリ収容室(３)の開口の近傍位置に、ロックレバー(41)が枢支されており、該ロックレバー(41)は、図６(ｃ)の如くバッテリ(８)をロックするロック位置と、図６(ｂ)の如くバッテリ(８)のロックを解除したロック解除位置との間で、往復移動が可能であると共に、ロック解除位置からロック位置へ向けてバネ付勢されている。
【０００３】
上記デジタルカメラにおいては、図６(ａ)に示すバッテリ収容室(３)に図６(ｂ)の如くバッテリ(８)を装填する際、バッテリ(８)の端部によりロックレバー(41)を押圧して、ロック位置からロック解除位置まで回動させた状態で、バッテリ(８)をバッテリ収容室(３)に挿入し、更にコイルバネ(５)に抗してバッテリ(８)をバッテリ収容室(３)の奥部まで押し込む。この結果、図６(ｃ)の如くロックレバー(41)がバネ付勢によりロック解除位置からロック位置まで回動し、バッテリ(８)をロックする。
その後、筐体(１)のバッテリ収容室(３)を開閉する蓋体(図示省略)を閉じて、作業を終了する。
【０００４】
上述の如く、筐体(１)のバッテリ収容室(３)にバッテリ(８)を装填する場合、上述の如く図６(ｂ)の状態からバッテリ(８)を押し込んで、図６(ｃ)の如くロックレバー(41)によってバッテリ(８)がロックされた状態で、蓋体を閉じる作業が必要であるが、図６(ｂ)の如くバッテリ(８)がバッテリ収容室(３)の奥部まで押し込まれていない状態で蓋体を閉じる操作が行なわれた場合においても、蓋体の内面によってバッテリ(８)が押し込まれ、これに伴ってロックレバー(41)がロック解除位置からロック位置まで回動するので、バッテリ(８)の装填は可能である。
【０００５】
しかしながら、この場合、蓋体によってバッテリをバッテリ収容室奥部の最終移動端まで押し込む必要があるので、蓋体を閉じ位置に係止した状態で該蓋体はバッテリから反力を受けることになる。この結果、蓋体を閉じ位置に係止する係止構造に対して無理な力が作用し、長期使用によって係止構造が破損する虞がある。
【０００６】
そこで、バッテリがバッテリ収容室の奥部まで押し込まれていない状態で蓋体を閉じる操作が行なわれた場合には、該蓋体に設けた突起をロックレバーにより受け止めて、蓋体が完全に閉じられるのを阻止する構造が提案されている(特許文献１)。
【特許文献１】特開平０９−０２２５８５号公報［G11B33/12］
【発明の開示】
【発明が解決しようとする課題】
【０００７】
ところが、蓋体に設けた突起をロックレバーにより受け止めて、蓋体が完全に閉じられるのを阻止する構造では、蓋体を閉じる操作によってバッテリを奥部まで押し込んでロックするという、簡便なバッテリ装填方法を採ることが出来なくなり、利便性が損なわれる問題があった。
【０００８】
そこで本発明の目的は、蓋体を閉じる操作によってバッテリ等のカートリッジ体を収容室奥部まで押し込んでロックする簡便な装填方法を採ることが出来、然も、蓋体を閉じ位置に係止した状態で該蓋体がバッテリ等のカートリッジ体から反力を受けることのない携帯型電子機器を提供することである。
【課題を解決するための手段】
【０００９】
本発明に係る携帯型電子機器においては、筐体の内部に、部品となるカートリッジ体の収容室が形成され、該収容室はカートリッジ体を装填するための開口を有し、該筐体には、前記開口を開閉するための蓋体が枢支され、該蓋体は前記開口を閉じた位置に係止することが可能であり、前記収容室内のカートリッジ体は前記開口へ向けてバネ付勢されている。
又、筐体には、収容室の開口に進出したロック位置と該開口から後退したロック解除位置との間で往復移動が可能であると共に、ロック解除位置からロック位置へ向けてバネ付勢されたロックレバーが配備される一方、蓋体の内面には、蓋体が完全に閉じられる直前にロックレバーをロック位置へ向けて押圧する押圧部が形成されている。
更に、ロックレバーには、前記押圧部の押圧を受けてカートリッジ体を収容室の奥部へ向けて押し込むためのカム面が形成されている。
【００１０】
上記本発明の携帯型電子機器によれば、筐体の収容室にカートリッジ体を装填する際、カートリッジ体の端部によりロックレバーを押圧して、ロック位置からロック解除位置まで回動させた状態で、カートリッジ体を収容室に挿入し、更にバネ付勢に抗してカートリッジ体を収容室の奥部まで押し込む。この結果、ロックレバーがバネ付勢によりロック解除位置からロック位置まで回動し、カートリッジ体をロックする。その後、蓋体を閉じて閉じ位置に係止する。
【００１１】
或いは、筐体の収容室にカートリッジ体を挿入した後、更にカートリッジ体を押し込むことなく、蓋体を閉じる。これに伴って、先ず、蓋体の内面がカートリッジ体を押圧し、バネ付勢に抗して収容室の奥部へ押し進める。その後、蓋体の内面に設けられている押圧部がロックレバーに当接する。そして、更に蓋体を閉じることによって、押圧部がロックレバーを押圧し、ロック位置まで移動させる。該ロックレバーによってカートリッジ体が更に収容室の奥部まで押し込まれる。そして、ロック位置に達したロックレバーによってカートリッジ体がロックされると共に、蓋体が閉じ位置に係止される。
【００１２】
具体的構成において、前記蓋体の押圧部は、第１の力で蓋体を閉じる操作ではロック解除位置のロックレバーによって受け止められ、前記第１の力よりも大きな第２の力で蓋体を閉じる操作により、ロック解除位置のロックレバーをロック位置へ向けて強制的に移動せしめる。
【００１３】
該具体的構成によれば、先ずユーザが第１の力で蓋体を閉じることにより、蓋体の押圧部がロック解除位置のロックレバーによって受け止められる。これによってユーザは第１の力に応じた反力を受けることになり、カートリッジ体が完全に押し込まれていない状態で蓋体を閉じようとしていることを認識することが出来る。次に、ユーザが更に大きな第２の力で蓋体を閉じると、蓋体の押圧部がロック解除位置のロックレバーをロック位置へ向けて強制的に移動せしめる。該ロックレバーによってカートリッジ体が更に収容室の奥部へ押し込まれる。そして、ロック位置に達したロックレバーによってカートリッジ体がロックされると共に、蓋体が閉じ位置に係止される。
【００１４】
具体的構成において、蓋体の内面には、蓋体が閉じられた状態で、筐体の収容室の開口を包囲する開口端面に密着し、且つ収容室内のカートリッジ体に対しては圧力を及ぼすことのないシール面が形成されている。
該具体的構成によれば、蓋体が閉じられた状態で、該蓋体はカートリッジ体から反力を受けることなく、シール面が筐体の開口端面に密着して、外部から収容室内への水分の浸入が防止される。
【００１５】
更に具体的な構成において、蓋体は、筐体に枢支された金属板と、該金属板の内面に固定されたシールカバーと、該金属板に対してスライド可能に係合するスライドカバーとから構成され、前記シールカバーの内面によって前記シール面が形成され、前記スライドカバーをスライドさせることによって該スライドカバーの端部が筐体と係合して、蓋体が閉じ位置に係止される。
【００１６】
該具体的構成によれば、蓋体が開かれた状態から該蓋体に更に開き方向の無理な力が作用したとしても、金属板が弾性変形して無理な力を吸収するので、蓋体が破損することはない。
【発明の効果】
【００１７】
本発明に係る携帯型電子機器によれば、蓋体を閉じる操作によってカートリッジ体を収容室奥部まで押し込んでロックする簡便な装填方法を採ることが出来、然も、蓋体を閉じ位置に係止した状態で該蓋体がカートリッジ体から反力を受けることはない。
【発明を実施するための最良の形態】
【００１８】
以下、本発明をデジタルカメラに実施した形態につき、図面に沿って具体的に説明する。
本発明に係るデジタルカメラは、図３に示す如く筐体(１)の内部に、バッテリ(８)を収容すべきバッテリ収容室(３)を有し、該バッテリ収容室(３)は筐体(１)の上面に開口している。バッテリ収容室(３)の底部には、バッテリ(８)を排出方向に付勢するためのコイルバネ(５)が設置されている。
【００１９】
又、図１及び図２に示す如く筐体(１)の上面には、バッテリ収容室(３)を開閉するための蓋体(２)が配備されている。蓋体(２)は基端部にて筐体(１)に枢支され、図１に示す閉じ位置と、図３に示す開き位置との間で、開閉操作が可能である。
【００２０】
蓋体(２)は、図３に示す如く、帯板状の金属板(21)と、該金属板(21)の内面に固定されたシールカバー(22)と、該金属板(21)に対してスライド可能に係合するスライドカバー(23)とから構成され、シールカバー(22)の内面にはシール面(25)が形成されている。蓋体(２)は、金属板(21)の基端部が図４の如く筐体(１)に水平に架設された枢軸(12)に連結されて、筐体(１)上に枢支されている。又、枢軸(12)には、トーションバネ(13)が装着され、蓋体(２)を閉じ位置から開き位置に向けて付勢している。
【００２１】
図３の如く蓋体(２)が開かれている状態から図２の如く蓋体(２)を閉じて、スライドカバー(23)を図２中の矢印方向にスライドさせると、該スライドカバー(23)に設けた係止部(図示省略)が筐体(１)に設けた被係止部(図示省略)に係合して、図１の如く蓋体(２)は閉じ位置に係止される。又、図１に示す如く蓋体(２)が閉じられている状態から図２の矢印とは反対方向にスライドカバー(23)をスライドさせると、前記係止部と被係止部の係合が解除され、図４に示すトーションバネ(13)の付勢によって、図３の如く蓋体(２)が開くことになる。
【００２２】
図３に示す如く、筐体(１)の上面には、バッテリ収容室(３)の開口を包囲する開口端面(31)が凹設されており、蓋体(２)を閉じることによって、該蓋体(２)のシールカバー(22)が開口端面(31)に密着することになる。
又、筐体(１)の開口端面(31)には、ロックレバー(41)が設置されている。ロックレバー(41)は、図４に示す如く垂直の枢軸(42)によって筐体(１)上に枢支されており、図６(ａ)に示す如くバッテリ収容室(３)の開口に進出したロック位置と、図６(ｂ)の如くバッテリ収容室(３)の開口から後退したロック解除位置との間で、回動可能である。又、ロックレバー(41)は、図４に示す如く枢軸(42)に装着されたトーションバネ(43)によって、図６(ｂ)に示すロック解除位置から図６(ａ)に示すロック位置へ向けて時計方向に回転付勢されている。
【００２３】
図８は、図６の紙面に垂直な断面におけるロックレバー(41)の先端部の形状を表わしており、ロックレバー(41)の先端部には、３つの角部に、第１〜第３斜面(41a)(41b)(41c)が形成され、各斜面(41a)(41b)(41c)によって後述のカム作用が発揮される。
更に、図６の如く、ロックレバー(41)の側面には突片(44)が形成される一方、筐体(１)の開口端面(31)には、突片(44)との対向位置に、ストッパー(11)が突設され、ロックレバー(41)の時計方向の回動端、即ちロックレバー(41)のロック位置を規定している。
【００２４】
蓋体(２)には、図３に示す如くシールカバー(22)のシール面(25)に、蓋体(２)を閉じることによってロックレバー(41)と接触すべき押圧部(24)が突設されている。又、シールカバー(22)のシール面(25)には、ロックレバー(41)を収容すべき凹部(26)が形成されている(図５参照)。
【００２５】
上記デジタルカメラにおいては、図６(ａ)に示す筐体(１)のバッテリ収容室(３)にバッテリ(８)を装填する場合、図４に示す如く蓋体(２)を開き、バッテリ収容室(３)へバッテリ(８)を挿入する。この際、バッテリ(８)の端部によって図８(ａ)に示すロックレバー(41)の第１斜面(41a)を下方に押圧する。これによってカム作用が発揮され、ロックレバー(41)は、図６(ａ)に示すロック位置から図６(ｂ)に示すロック解除位置まで回動する。
そして、指先によりバッテリ(８)を押圧し、コイルバネ(５)に抗してバッテリ(８)をバッテリ収容室(３)の底部まで押し込む。この結果、図６(ｃ)の如くロックレバー(41)がバネ付勢によってロック位置まで回動し、バッテリ(８)をロックする。
【００２６】
その後、図２の如く蓋体(２)を閉じ、更にスライドカバー(23)を矢印方向にスライドさせる。これによって、蓋体(２)は図１に示す如く閉じ位置にて係止されることになり、バッテリ(８)の装填作業が完了する。
【００２７】
一方、ユーザが、図６(ｂ)の如く筐体(１)のバッテリ収容室(３)にバッテリ(８)を挿入した状態から、バッテリ(８)を指先で押し込むことなく、蓋体(２)を途中まで閉じると、該蓋体(２)の内面によってバッテリ(８)がバッテリ収容室(３)の奥部に向けて押し込まれる。その後、図７(ａ)及び図８(ａ)の如く、蓋体(２)の押圧部(24)がロック解除位置のロックレバー(41)に当接する。
【００２８】
この結果、ユーザは、蓋体(２)を押圧する指先に大きな反力を受けることになる。従って、ユーザは、バッテリ(８)をバッテリ収容室(３)の奥部へ押し込むことなく、蓋体(２)を閉じる操作を行なっていることを、反力の増大によって認識することが出来る。
【００２９】
上記の認識にも拘わらず、ユーザが更に大きな力で蓋体(２)を押圧して、蓋体(２)を全閉位置まで閉じると、その過程で蓋体(２)の押圧部(24)が図８(ｂ)の如くロックレバー(41)の第２斜面(41b)を下方に押圧する。ここで、ロックレバー(41)の第２斜面(41b)は水平面に対して傾斜しているために、カム作用が発揮され、押圧部(24)はロックレバー(41)に対して時計方向の回動力Ｆを与える。この結果、図７(ｂ)の如くロックレバー(41)はロック解除位置からロック位置まで回動する。
前記回動力Ｆを受けてロックレバー(41)が回動する過程で、図８(ｂ)の如くロックレバー(41)の第３斜面(41c)がカム作用を発揮し、該第３斜面(41c)の押圧によってバッテリ(８)は更にバッテリ収容室(３)の奥部まで押し込まれる。そして、図７(ｂ)の如くロック位置に達したロックレバー(41)によってバッテリ(８)がロックされることになる。
【００３０】
この状態から蓋体(２)のスライドカバー(23)を図２の矢印方向にスライドさせることによって、蓋体(２)は図１に示す如く閉じ位置にて係止されることになり、バッテリ(８)の装填作業が完了する。
上記の如く、ユーザは、蓋体(２)によってバッテリ(８)をバッテリ収容室(３)の奥部まで押し込んでロックする簡便な装填方法を採ることも可能であるので、この様な簡便な装填方法を禁止した従来の装置よりも高い利便性が得られる。
【００３１】
上記デジタルカメラにおいては、図５に示す如く、バッテリ(８)がロックレバー(41)によってロックされ、蓋体(２)が全閉位置に係止された状態で、蓋体(２)のシールカバー(22)のシール面(25)は、筐体(１)の開口端面(31)と密着して、防滴効果を発揮するが、シール面(25)とバッテリ(８)の上面との間には、僅かな隙間が形成されているため、バッテリ(８)が蓋体(２)を開き方向に押圧することはない。従って、蓋体(２)のシール面(25)と筐体(１)の開口端面(31)との間の圧着力が低下することはなく、高い防滴効果が維持される。
又、閉じ位置の蓋体(２)と筐体(１)との間の係止構造に無理な力が作用することがなく、長期使用によっても係止構造が破損する虞はない。
【００３２】
更に又、上記デジタルカメラにおいては、図３及び図４に示す如く蓋体(２)を開いた状態で、蓋体(２)に対して更に開き方向に無理な力が作用したとしても、蓋体(２)の金属板(21)の基端部が弾性変形して、無理な力を吸収するので、蓋体(２)が破損する虞はない。
【００３３】
尚、本発明の各部構成は上記実施の形態に限らず、特許請求の範囲に記載の技術的範囲内で種々の変形が可能である。又、本発明はデジタルカメラに限定されることなく、バッテリやカード型ＩＣチップ等の種々のカートリッジ体を着脱可能に収容する携帯型電子機器に実施することが可能である。
【図面の簡単な説明】
【００３４】
【図１】本発明に係るデジタルカメラの斜視図である。
【図２】該デジタルカメラにおいて蓋体のスライドカバーをスライドさせた状態を示す斜視図である。
【図３】該デジタルカメラにおいて蓋体を開いた状態を示す斜視図である。
【図４】該デジタルカメラにおいて蓋体を開いた状態を示す断面図である。
【図５】該デジタルカメラにおいて蓋体を閉じた状態を示す断面図である。
【図６】指先によってバッテリをバッテリ収容室の奥部に押し込む正しい装填方法におけるロックレバーの動作を表わす平面図である。
【図７】蓋体を閉じることによってバッテリをバッテリ収容室の奥部に押し込む簡易な装填方法におけるロックレバーの動作を表わす平面図である。
【図８】同上の装填方法におけるロックレバーのカム動作を表わす拡大断面図である。
【符号の説明】
【００３５】
(１)  筐体
(11)  ストッパー
(13)  トーションバネ
(２)  蓋体
(21)  金属板
(22)  シールカバー
(23)  スライドカバー
(24)  押圧部
(25)  シール面
(３)  バッテリ収容室
(31)  開口端面
(41)  ロックレバー
(43)  トーションバネ
(５)  コイルバネ
(８)  バッテリ
【図１】
0004954002.tif 000002
【図２】
0004954002.tif 000003
【図３】
0004954002.tif 000004
【図４】
0004954002.tif 000005
【図５】
0004954002.tif 000006
【図６】
0004954002.tif 000007
【図７】
0004954002.tif 000008
【図８】
0004954002.tif 000009